(57)【要約】【課題】  人物の位置や人数に応じて音声を効率的に且つ容易にステレオ録音できる技術を提供することを目的とする。【解決手段】  時系列に連続して被写体を撮像し複数の画像を生成する撮像部と、画像を表示する表示部と、被写体からの音声を取得する複数のマイク部と、画像から被写体を検出する被写体検出部と、被写体検出部により検出された被写体の画像における位置に応じて複数のマイク部のうち一対のマイク部を選択し、一対のマイク部で被写体の音声をステレオ録音する制御部と、を備える。【選択図】    図１
2013179466.tif 000002
【特許請求の範囲】
【請求項１】
時系列に連続して被写体を撮像し複数の画像を生成する撮像部と、
前記画像を表示する表示部と、
前記被写体からの音声を取得する複数のマイク部と、
前記画像から前記被写体を検出する被写体検出部と、
前記被写体検出部により検出された前記被写体の前記画像における位置に応じて前記複数のマイク部のうち一対のマイク部を選択し、前記一対のマイク部で前記被写体の音声をステレオ録音する制御部と、
を備えることを特徴とする撮像装置。
【請求項２】
請求項１に記載の撮像装置において、
前記撮像装置本体に対して開閉可能なパネル部を備え、
前記パネル部は、前記表示部および少なくとも１つの前記マイク部が配置されることを特徴とする撮像装置。
【請求項３】
請求項１または請求項２に記載の撮像装置において、
ユーザからの指示を受け付ける操作部材を備え、
前記制御部は、前記被写体検出部により複数の前記被写体が検出され前記ユーザからの指示に基づいて一の被写体が選択された場合、前記一の被写体の位置に応じて前記一対のマイク部を選択する
ことを特徴とする撮像装置。
【請求項４】
請求項１または請求項２に記載の撮像装置において、
所望の被写体の特徴を示す特徴データを記憶する記憶部を備え、
前記被写体検出部は、検出した前記被写体が前記所望の被写体か否かを前記特徴データに基づいて判定し、
前記制御部は、前記被写体検出部により複数の前記被写体が検出され前記複数の被写体に前記所望の被写体が含まれる場合、前記所望の被写体の位置に応じて前記一対のマイク部を選択する
ことを特徴とする撮像装置。
【請求項５】
請求項４に記載の撮像装置において、
前記記憶部は、前記所望の被写体の前記特徴データとともに優先度を示す優先情報を記憶し、
前記制御部は、前記所望の被写体の位置および前記優先情報に応じて前記一対のマイク部を選択する
ことを特徴とする撮像装置。
【請求項６】
請求項１ないし請求項５のいずれか１項に記載の撮像装置において、
前記複数のマイク部は、複数の無指向性のマイク部と複数の指向性のマイク部とを有し、
前記制御部は、前記被写体検出部により前記被写体が検出された場合、前記一対のマイク部を前記複数の指向性のマイク部から選択する
ことを特徴とする撮像装置。
【請求項７】
請求項１ないし請求項６のいずれか１項に記載の撮像装置において、
前記複数のマイク部は、前記撮像部の撮像光学系の光軸に対して略対称に配置されることを特徴とする撮像装置。
【発明の詳細な説明】
【技術分野】
【０００１】
本発明は、撮像装置に関する。
【背景技術】
【０００２】
従来、デジタルカメラなどで被写体を動画撮像する際、被写体の音声をステレオ録音するために、デジタルカメラなどに対するマイクロホンの様々な配置位置が提案されている。
【０００３】
例えば、２つのマイクロホンを、デジタルカメラの閃光装置とレンズ鏡筒との間の隙間で、レンズ鏡筒の光軸に対し略左右対称に配置することにより、よりステレオ感を出す技術がある（特許文献１など参照）。
【先行技術文献】
【特許文献】
【０００４】
【特許文献１】特開２００６−２７９７２３号公報
【発明の概要】
【発明が解決しようとする課題】
【０００５】
しかしながら、従来技術では、２つのマイクロホンを用いてステレオ録音することから、レンズ鏡筒の光軸付近に位置する人物しかステレオ感を持って音声を録音することができない。つまり、レンズ鏡筒の光軸以外に位置する人物の音声をステレオ録音するには、レンズ鏡筒の光軸がその人物の方向になるように、デジタルカメラの向きを調節しなければならない。
【０００６】
上記従来技術が有する問題に鑑み、本発明の目的は、人物の位置や人数に応じて音声を効率的に且つ容易にステレオ録音できる技術を提供することにある。
【課題を解決するための手段】
【０００７】
上記課題を解決するために、本発明を例示する撮像装置の一態様は、時系列に連続して被写体を撮像し複数の画像を生成する撮像部と、画像を表示する表示部と、被写体からの音声を取得する複数のマイク部と、画像から被写体を検出する被写体検出部と、被写体検出部により検出された被写体の画像における位置に応じて複数のマイク部のうち一対のマイク部を選択し、一対のマイク部で被写体の音声をステレオ録音する制御部と、を備える。
【０００８】
また、撮像装置本体に対して開閉可能なパネル部を備え、パネル部は、表示部および少なくとも１つのマイク部が配置されてもよい。
【０００９】
また、ユーザからの指示を受け付ける操作部材を備え、制御部は、被写体検出部により複数の被写体が検出されユーザからの指示に基づいて一の被写体が選択された場合、一の被写体の位置に応じて一対のマイク部を選択してもよい。
【００１０】
また、所望の被写体の特徴を示す特徴データを記憶する記憶部を備え、被写体検出部は、検出した被写体が所望の被写体か否かを特徴データに基づいて判定し、制御部は、被写体検出部により複数の被写体が検出され複数の被写体に所望の被写体が含まれる場合、所望の被写体の位置に応じて一対のマイク部を選択してもよい。
【００１１】
また、記憶部は、所望の被写体の特徴データとともに優先度を示す優先情報を記憶し、制御部は、所望の被写体の位置および優先情報に応じて一対のマイク部を選択してもよい。
【００１２】
また、複数のマイク部は、複数の無指向性のマイク部と複数の指向性のマイク部とを有し、制御部は、被写体検出部により被写体が検出された場合、一対のマイク部を複数の指向性のマイク部から選択してもよい。
【００１３】
また、複数のマイク部は、撮像部の撮像光学系の光軸に対して略対称に配置されてもよい。
【発明の効果】
【００１４】
本発明によれば、人物の位置や人数に応じて音声を効率的に且つ容易にステレオ録音できる。
【図面の簡単な説明】
【００１５】
【図１】本発明の一の実施形態に係るデジタルカメラの構成を示すブロック図
【図２】一の実施形態のデジタルカメラのパネル部を本体に格納した場合の外観を示す図
【図３】一の実施形態のデジタルカメラのパネル部を開口した場合の外観を示す図
【図４】一の実施形態のデジタルカメラの処理動作を示すフローチャート
【図５】被写体が撮像光学系の光軸上に位置する場合に選択されるマイクロホンの一例を示す図
【図６】被写体が撮像光学系の光軸より右側に位置する場合に選択されるマイクロホンの一例を示す図
【図７】被写体が撮像光学系の光軸より左側に位置する場合に選択されるマイクロホンの一例を示す図
【図８】他の実施形態のデジタルカメラの処理動作を示すフローチャート
【図９】複数の被写体を撮像する場合に選択されるマイクロホンの一例を示す図
【図１０】パネル部に配置されるマイクロホンが常に撮像光学系の光軸と平行になる機構の一例を示す図
【発明を実施するための形態】
【００１６】
《一の実施形態》
図１は、本発明の一の実施形態に係るデジタルカメラの構成を示すブロック図である。図２は、本実施形態のデジタルカメラを（ａ）正面から見た場合、（ｂ）真上から見た場合、（ｃ）背面から見た場合の外観をそれぞれ示す。また、図３は、デジタルカメラのパネル部２７を開口した状態で（ｂ）真上から見た場合、（ｃ）背面から見た場合、（ｃ）正面から見た場合の外観をそれぞれ示す。
【００１７】
本実施形態のデジタルカメラは、撮像光学系１１、撮像素子１２、ＡＦＥ１３、バッファメモリ１４、画像処理部１５、モニタ１６、マイクロホン１７ａ〜１７ｄ、記憶部１８、ＣＰＵ１９、操作部材２１、レリーズ釦２２、タッチパネル２３、記録Ｉ／Ｆ２４、バスから構成される。バッファメモリ１４、画像処理部１５、モニタ１６、マイクロホン１７ａ〜１７ｄ、記憶部１８、ＣＰＵ１９、記録Ｉ／Ｆ２４は、バスを介して情報伝達可能にそれぞれ接続される。また、操作部材２１、レリーズ釦２２、タッチパネル２３は、ＣＰＵ１９に接続される。
【００１８】
撮像光学系１１は、ズームレンズやフォーカシングレンズを含む複数のレンズ群で構成されている。撮像光学系１１のレンズ位置は、レンズ駆動部（不図示）によって光軸方向に調整される。なお、簡単のため、図１では撮像光学系１１を１枚のレンズとして図示する。
【００１９】
撮像素子１２は、撮像光学系１１を通過した光束によって結像される被写体を撮像するデバイスである。この撮像素子１２の出力はＡＦＥ１３に入力される。なお、本実施形態の撮像素子１２は、順次走査方式の固体撮像素子（ＣＣＤ等）であっても、ＸＹアドレス方式の固体撮像素子（ＣＭＯＳ等）であってもよい。
【００２０】
また、撮像素子１２の受光面には、複数の受光素子がマトリックス状に配列されている。撮像素子１２の各受光素子には、赤色（Ｒ）、緑色（Ｇ）、青色（Ｂ）のカラーフィルタが公知のベイヤ配列にしたがって配置されている。そのため、撮像素子１２の各受光素子は、カラーフィルタでの色分解によってそれぞれの色に対応する画像信号を出力する。これにより、撮像素子１２は、カラーの画像を取得できる。
【００２１】
なお、デジタルカメラの撮影モードにおいて、撮像素子１２はレリーズ釦２２の全押し操作に応答して記録画像（本画像）を撮像する。また、撮影モードでの撮像素子１２は、撮影待機時にも所定の時間間隔で構図確認用画像（スルー画像）を撮像する。このスルー画像のデータは、撮像素子１２から間引き読み出しで出力される。なお、スルー画像のデータは、モニタ１６での画像表示や、ＣＰＵ１９による各種演算処理などに使用される。
【００２２】
ＡＦＥ１３は、撮像素子１２の出力に対してアナログ信号処理を施すアナログフロントエンド回路である。このＡＦＥ１３は、相関二重サンプリング、画像信号のゲインの調整、画像信号のＡ／Ｄ変換を行う。ＡＦＥ１３の出力は、バッファメモリ１４に一時的に記録される。なお、本実施形態では、撮像素子１２とＡＦＥ１３とで撮像部を構成する。また、バッファメモリ１４は、一般的な揮発性の半導体メモリ等を適宜選択して用いることができる。
【００２３】
画像処理部１５は、バッファメモリ１４に記憶された１フレーム分のデジタル画像信号に対して、各種画像処理（例えば、色補間処理、階調変換処理、ホワイトバランス処理、輪郭強調処理など）を施す。
【００２４】
モニタ１６は、液晶モニタなどの表示部であり、ＣＰＵ１９の指示に応じて各種画像を表示する。本実施形態では、図２および図３に示すように、モニタ１６は、筐体側面に設置されたＸ軸およびＹ軸方向の２軸について回転可能なヒンジ部２６に接続されたパネル部２７に配置される。そして、ＣＰＵ１９は、モニタ１６にスルー画像とともに、撮像に必要となる各種情報や、各種設定項目の入力を可能とするＧＵＩ(Graphical User Interface)形式の釦を重畳表示させる。
【００２５】
マイクロホン１７ａ〜１７ｄは、人物などの被写体からの音声を受信して電気信号の音声信号に変換する。マイクロホン１７ａ〜１７ｄは、後述するように、モニタ１６の開閉状態やＣＰＵ１９の顔検出部２０の結果に応じて、２つのマイクロホンが選択され被写体の音声をステレオ録音する。マイクロホン１７ａ〜１７ｄには、一般的なマイクロホンを用いることができ、動画などの再生時にはスピーカとして動作可能なものが好ましい。なお、本実施形態のマイクロホン１７ａ〜１７ｄは無指向性のものが用いられ、それぞれのマイクロホンには、アナログの音声信号をデジタル信号に変換する不図示のＡ／Ｄ変換器が配置されているものとする。
【００２６】
また、本実施形態では、マイクロホン１７ａ〜１７ｄのうち、少なくとも１つの、例えば、マイクロホン１７ｄがモニタ１６とは反対側のパネル部２７上に配置される。これにより、パネル部２７が開口された場合、マイクロホン１７ｄは、他のマイクロホン１７ａ〜１７ｃとの間で十分な距離を取ることができ、よりステレオ感のあるステレオ録音が可能となる。ただし、図２に示すように、パネル部２７がモニタ１６を表側となるようにデジタルカメラ本体の背面に格納される場合、マイクロホン１７ｄはパネル部２７の裏側に配置される。したがって、パネル部２７の閉口時における動画撮像時では、３つのマイクロホン１７ａ〜１７ｃを用いてステレオ録音する。なお、本実施形態において、３つまたは４つのマイクロホンを用いるかは、ＣＰＵ１９が、パネル部２７の開閉状態を検出することにより切り替えられるものとする。
【００２７】
さらに、マイクロホン１７ａ〜１７ｄは、図３（ｃ）に示すように、撮像光学系１１のＸ軸方向に対して略対称に配置されることが好ましく、マイクロホン１７ａと１７ｂとの間、およびマイクロホン１７ｃと１７ｄとの間それぞれは、例えば、マイクロホンの大きさの２倍および１０倍などの間隔を空けて配置されることが好ましい。これにより、よりステレオ感のあるステレオ録音が可能となる。
【００２８】
記憶部１８は、ＣＰＵ１９によって実行される制御プログラムなどとともに、デジタルカメラによって撮像された本画像を記憶する。記憶部１８には、不揮発性の半導体メモリなどを用いることができる。
【００２９】
ＣＰＵ１９は、デジタルカメラの各部を統括的に制御するプロセッサである。ＣＰＵ１９は、制御プログラムを実行することにより、スルー画像のデータに基づいて、位相差検出方式やコントラスト検出方式による公知の自動焦点（ＡＦ）制御や、自動露出（ＡＥ）演算などを行う。また、ＣＰＵ１９は、撮像した本画像のファイルの生成処理やモニタ１６に対する表示制御などを行う。さらに、本実施形態のＣＰＵ１９は、制御プログラムの実行により、顔検出部２０として動作する。
【００３０】
顔検出部２０は、被写体検出部として、スルー画像や動画のフレームのデータに顔検出処理を施して、被写体である人物の顔領域を検出する。この顔検出処理は公知のアルゴリズムによって行われる。一例として、顔検出部２０は、公知の特徴点抽出処理によって、眉，目，鼻，唇の各端点などの特徴点を画像から抽出し、これらの特徴点に基づいて顔領域か否かを判定する。あるいは、顔検出部２０は、予め記憶部１８に記憶された顔画像とスルー画像や動画のフレームとの相関係数を求め、この相関係数が一定の閾値を超えるときに顔領域と判定してもよい。
【００３１】
操作部材２１は、例えば、電源釦、コマンドダイヤル、十字状のカーソルキー、決定釦などで構成される（図２）。そして、操作部材２１はデジタルカメラの各種入力をユーザから受け付ける。例えば、操作部材２１は、デジタルカメラの動作モードの切替操作や、設定画面での入力操作などに用いられる。なお、レリーズ釦２２およびタッチパネル２３も操作部材２１の一部である。
【００３２】
レリーズ釦２２は、半押し操作による撮像前のＡＥ動作開始の指示入力、および全押し操作による撮像モードに応じた撮像開始の指示入力をユーザから受け付ける。
【００３３】
タッチパネル２３は、パネル表面に接触したスタイラス（または指先など）の位置を検出し、検出した位置情報をＣＰＵ１９に出力することでユーザからの指示入力を受け付ける。タッチパネル２３には、静電容量式または感圧式のいずれでもよい。本実施形態のタッチパネル２３は、モニタ１６と同形状の透明のパネルで構成され、モニタの表面全体に積層配置される。ユーザは、モニタ１６に表示されたＧＵＩ形式の釦を視認しつつ、タッチパネル２３を介してＣＰＵ１９に指示入力する。
【００３４】
記録Ｉ／Ｆ２４には、記憶媒体２５を接続するためのコネクタが形成されている。そして、記録Ｉ／Ｆ２４は、コネクタに接続された記憶媒体２５に対してデータの書き込み／読み込みを実行する。上記記憶媒体２５は、ハードディスクや、半導体メモリを内蔵したメモリカードなどで構成される。なお、図１では記憶媒体２５の一例としてメモリカードを示す。
【００３５】
次に、図４のフローチャートを参照しつつ、本実施形態のデジタルカメラによる処理動作について説明する。なお、本実施形態のデジタルカメラは、撮像モードとして動画モードに予め設定されているものとする。また、被写体は１人の人物であるとする。
【００３６】
ＣＰＵ１９は、ユーザによる操作部材２１の電源釦操作により、電源投入指示を受け付け、デジタルカメラの電源を投入する。ＣＰＵ１９は、記憶部１８より制御プログラムを読み込んで実行し、デジタルカメラを初期化する。ＣＰＵ１９は、デジタルカメラが撮像モードに設定されている場合、撮像素子１２に被写体のスルー画像を所定のフレームレートで撮像させ、モニタ１６に動画表示する。ＣＰＵ１９は、ステップＳ１０１からの処理を開始する。
【００３７】
ステップＳ１０１：ＣＰＵ１９は、撮像モードが動画モードに設定されているか否かを判定する。ＣＰＵ１９は、動画モードに設定されている場合、ステップＳ１０２（ＹＥＳ側）へ移行する。
【００３８】
一方、ＣＰＵ１９は、他の撮像モードに設定されている場合、ステップＳ１１３（ＮＯ側）へ移行し、ステップＳ１１３において、設定されている静止画像の単写や連写などの他の撮像モードに応じて本画像を撮像する。ＣＰＵ１９は、画像処理部１５に各種画像処理を施させた後、ステップＳ１１２へ移行する。なお、他の撮像モードで被写体を撮像する場合でも、マイクロホン１７ａ〜１７ｄのうち２つのマイクロホンをＯＮ状態にして被写体からの音声をステレオ録音してもよい。その際、マイクロホン１７ａ〜１７ｄのうち、どの２つのマイクロホンを選択してＯＮ状態にするかは、後述する動画モードの場合と同様に行われることが好ましい。
【００３９】
ステップＳ１０２：ＣＰＵ１９は、パネル部２７が開口状態か否かを判定する。パネル部２７が開口状態の場合、ＣＰＵ１９は、ステップＳ１０３（ＹＥＳ側）へ移行する。ＣＰＵ１９は、パネル部２７が閉口状態の場合、ステップＳ１０４（ＮＯ側）へ移行する。
【００４０】
ステップＳ１０３：ＣＰＵ１９は、パネル部２７が開口状態の場合、マイクロホン１７ａ〜１７ｄのうち最も離れて、撮像光学系１１の光軸に対して略対称に配置されている２つのマイクロホン１７ｃ、１７ｄを一対のマイクロホンとして選択しＯＮ状態にする。
【００４１】
ステップＳ１０４：ＣＰＵ１９は、パネル部２７が閉口状態の場合、マイクロホン１７ａ〜１７ｃのうち最も離れて、撮像光学系１１の光軸に対して略対称に配置されている２つのマイクロホン１７ａ、１７ｂを一対のマイクロホンとして選択しＯＮ状態にする。
【００４２】
ステップＳ１０５：ＣＰＵ１９の顔検出部２０は、取得したスルー画像のデータに顔検出処理を施して、画像から被写体である人物の顔領域を検出する。ＣＰＵ１９は、人物の顔検出ができなかった場合、被写体は風景などであると判定しステップＳ１１０（ＮＯ側）へ移行する。一方、ＣＰＵ１９は、例えば、図５に示すように、人物３０の顔を検出した場合、スルー画像のうち顔検出された人物３０の顔領域を合焦領域として、レンズ駆動部（不図示）に撮像光学系１１を駆動させて被写体である人物に合焦させる。そして、ＣＰＵ１９は、ステップＳ１０６（ＹＥＳ側）へ移行する。
【００４３】
ステップＳ１０６：ＣＰＵ１９は、ステップＳ１０５において検出された人物３０がスルー画像の中央付近、すなわち撮像光学系１１の光軸付近に位置するか否かを判定する。図５（ａ）に示すように、被写体である人物３０が撮像光学系１１の光軸付近に位置する場合、図５（ｂ）に示すように、モニタ１６に表示される人物３０は、撮像光学系１１の光軸に対応する破線で示すスルー画像の中央付近に位置する。そこで、本実施形態のＣＰＵ１９は、ステップＳ１０５において顔検出された人物３０の顔領域を示す顔枠３１が、スルー画像の中央を示す破線にかかっているか否かで判定する。なお、図５はパネル部２７が開口状態の場合を示すが、パネル部２７が閉口状態の場合についても同様である。
【００４４】
ＣＰＵ１９は、人物３０がスルー画像の中央付近に位置する場合、ステップＳ１１０（ＹＥＳ側）へ移行する。一方、ＣＰＵ１９は、人物３０がスルー画像の中央付近に位置しない場合、ステップＳ１０７（ＮＯ側）へ移行する。
【００４５】
ステップＳ１０７：ＣＰＵ１９は、ステップＳ１０５において検出された人物３０がスルー画像の中央を示す破線に対して右側に位置するか否かを判定する。すなわち、図６（ｂ）に示すように、ステップＳ１０５において顔検出された人物３０の顔枠３１が、破線よりも右側に位置する場合、ＣＰＵ１９は、人物３０はスルー画像の右側に位置すると判定する。ＣＰＵ１９は、ステップＳ１０９（ＹＥＳ側）へ移行する。一方、ＣＰＵ１９は、図７（ｂ）に示すように、人物３０が破線よりも左側に位置する場合、ステップＳ１０８（ＮＯ側）へ移行する。
【００４６】
ステップＳ１０８：ＣＰＵ１９は、人物３０が左側に位置することから、左側からの音声をより良くステレオ録音できるように、パネル部２７が開口状態の場合、図７（ａ）に示すように、マイクロホン１７ｂ、１７ｄを選択しＯＮ状態に切り替え、パネル部２７が閉口状態の場合、マイクロホン１７ａ、１７ｂを選択しＯＮ状態にする。ＣＰＵ１９は、ステップＳ１１０へ移行する。
【００４７】
ステップＳ１０９：ＣＰＵ１９は、人物３０が右側に位置することから、右側からの音声をより良くステレオ録音できるように、パネル部２７の開閉状態にかかわらず、図６（ａ）に示すように、マイクロホン１７ａ、１７ｃを選択しＯＮ状態に切り替える。ＣＰＵ１９は、ステップＳ１１０へ移行する。
【００４８】
ステップＳ１１０：ＣＰＵ１９は、ユーザによるレリーズ釦２２の全押し操作を受け付けたか否かを判定する。ＣＰＵ１９は、レリーズ釦２２が全押し操作されていない場合、ステップＳ１０５（ＮＯ側）へ移行して、次に取得したスルー画像に対して、ステップＳ１０５〜ステップＳ１１０の処理を施す。
【００４９】
一方、ＣＰＵ１９は、レリーズ釦２２が全押し操作された場合、動画の撮像開始の指示として受け付け、スルー画像のデータから人物３０の輝度を算出し、ＡＥ演算により露出条件を取得するとともに、撮像光学系１１のレンズ位置をロックする。ＣＰＵ１９は、撮像素子１２に対して、算出された露出条件などで人物３０を、３０ｆｐｓや６０ｆｐｓなどのフレームレートで動画の撮像を開始させる。同時に、ＣＰＵ１９は、ステップＳ１０３、ステップＳ１０４、ステップＳ１０８、またはステップＳ１０９で選択された２つのマイクロホンで人物３０の音声をステレオ録音する。そして、ＣＰＵ１９は、画像処理部１５に、各フレームに対して色補間処理、階調変換処理、ホワイトバランス処理、輪郭強調処理などの各種画像処理を施させ、H.264やMotion JPEGなどの動画形式に応じて、画像処理されたフレームを音声信号とともに動画圧縮し、動画データを生成する。ＣＰＵ１９は、その動画データをバッファメモリ１４に一時的に記録する。
【００５０】
ステップＳ１１１：ＣＰＵ１９は、ユーザによるレリーズ釦２２の全押し操作を再度受け付けたか否かを判定する。ＣＰＵ１９は、レリーズ釦２２が再度全押し操作されていない場合、撮像終了の指示を受け付けていないとして、ステップＳ１０５（ＮＯ側）へ移行する。ＣＰＵ１９は、動画のフレームを用いてステップＳ１０５〜ステップＳ１１１の処理を施す。
【００５１】
一方、ＣＰＵ１９は、レリーズ釦２２が再度全押し操作された場合、終了指示を受け付けたとして、動画の撮像を終了する。ＣＰＵ１９は、ステップＳ１１２（ＹＥＳ側）へ移行する。
【００５２】
ステップＳ１１２：ＣＰＵ１９は、動画データまたはステップＳ１１３で撮像された本画像のファイルを生成して記憶部１８や記憶媒体２５に記録する。そして、ＣＰＵ１９は、一連の動作を終了する。
【００５３】
このように、本実施形態では、複数のマイクロホン１７ａ〜１７ｄを配置し、被写体である人物の顔検出に基づいて、スルー画像やフレームにおける人物の位置を把握し、その人物の音声をより良くステレオ録音できる２つのマイクロホンを選択することにより、効率的に且つ容易にステレオ録音できる。
【００５４】
また、複数のマイクロホンのうち少なくとも１つをパネル部２７に配置することにより、ステレオ録音のステレオ感を無くすことなく、デジタルカメラなどのさらなる小型化を図ることができる。
《他の実施形態》
本発明の他の実施形態に係るデジタルカメラは、図１の一の実施形態に係るデジタルカメラと同じ構成を有し、各構成要素の詳細な説明は省略する。
【００５５】
図８は、本実施形態のデジタルカメラによる処理動作のフローチャートを示す。図８において、図４に示す一の実施形態における処理と同じ処理については、同じステップ番号を付し詳細な説明は省略する。
【００５６】
本実施形態に係るデジタルカメラの処理動作と一の実施形態に係るものとの相違点は、（１）顔検出部２０により検出される被写体の人物が複数であり、（２）記憶部１８は、所望の人物（所望の被写体）に関する特徴を示す特徴データ（例えば、顔の眉，目，鼻，唇の各端点などの特徴点）および優先度が予め複数登録され一覧にした被写体情報を記憶し、（３）ステップＳ１０５とステップＳ１０６との間に、上記被写体情報を用いて複数の人物のうち所望の人物がいるか否かを判定するステップＳ２０１が追加される点にある。
【００５７】
つまり、ステップＳ１０５において、例えば、図９に示すように、被写体である３人の人物４０ａ〜４０ｃが顔検出された場合、本実施形態のステップＳ２０１において、顔検出部２０は、人物４０ａ〜４０ｃのうち所望の人物として被写体情報に登録された人物がいるか否かを判定する。例えば、顔検出部２０は、抽出した人物４０ａ〜４０ｃそれぞれの顔の特徴点のデータと、記憶部１８に記憶された被写体情報の特徴データとを比較し判定する。ＣＰＵ１９は、人物４０ａ〜４０ｃが登録された所望の人物でない場合、ステップＳ１１０（ＮＯ側）へ移行する。
【００５８】
一方、ＣＰＵ１９は、人物４０ａ〜４０ｃのうち１人でも登録された所望の人物がいる場合、ステップＳ１０６（ＹＥＳ側）へ移行し、所望の人物の顔領域に基づいて、ステップＳ１０６以降の処理を行う。なお、所望の人物が複数の場合、ＣＰＵ１９は、優先度が最も高い人物を所望の人物とする。図９は、所望の人物が人物４０ａのみ、または人物４０ａが最も優先度の高い所望の人物である場合を示す。図９に示すように、ＣＰＵ１９は、人物４０ａが所望の人物であることを示すために、人物４０ｂ、４０ｃの顔枠４１ｂ、４１ｃと異なるデザインの顔枠４１ａを用いてモニタ１６に表示することが好ましい。
【００５９】
このように、本実施形態では、複数のマイクロホン１７ａ〜１７ｄを配置し、被写体である人物の顔検出に基づいて、スルー画像やフレームにおける人物の位置を把握し、その人物の音声をより良くステレオ録音できる２つのマイクロホンを選択することにより、効率的に且つ容易にステレオ録音できる。
【００６０】
また、複数のマイクロホンのうち少なくとも１つをパネル部２７に配置することにより、ステレオ録音のステレオ感を無くすことなく、デジタルカメラなどのさらなる小型化を図ることができる。
【００６１】
さらに、記憶部１８に所望の人物の被写体情報を予め記憶することにより、たとえ複数の人物を動画撮像する場合でも、ＣＰＵ１９は、所望の人物の位置に基づいて、所望の人物の音声をより良くステレオ録音できる２つのマイクロホンを選択することができる。
《他の実施形態の変形例》
本発明の他の実施形態の変形例に係るデジタルカメラは、図１の一の実施形態に係るデジタルカメラと同じ構成を有し、各構成要素の詳細な説明は省略する。
【００６２】
また、本実施形態のデジタルカメラによる処理動作は、図８に示す他の実施形態における処理と同じであるが、ステップＳ２０１において、検出された複数の人物のうち一の人物が、ユーザによる操作部材２１やタッチパネル２３の操作に基づいて選択される点が異なる。
【００６３】
つまり、ステップＳ１０５において、例えば、図９に示すように、被写体である３人の人物４０ａ〜４０ｃが顔検出された場合、本実施形態のステップＳ２０１において、ＣＰＵ１９は、ユーザによる操作部材２１やタッチパネル２３の操作指示を受け付け、人物４０ａ〜４０ｃのうち１人の人物が選択されたか否かを判定する。ＣＰＵ１９は、ユーザによる操作部材２１やタッチパネル２３の操作指示を受け付けず、人物の選択が行われなかった場合、ステップＳ１１０（ＮＯ側）へ移行する。
【００６４】
一方、ＣＰＵ１９は、１人の人物が選択された場合、ステップＳ１０６（ＹＥＳ側）へ移行し、選択された人物の顔領域に基づいて、ステップＳ１０６以降の処理を行う。図９は、選択された人物が人物４０ａの場合を示す。図９に示すように、ＣＰＵ１９は、人物４０ａが選択された人物であることを示すために、人物４０ｂ、４０ｃの顔枠４１ｂ、４１ｃと異なるデザインの顔枠４１ａを用いてモニタ１６に表示することが好ましい。
【００６５】
このように、本実施形態では、複数のマイクロホン１７ａ〜１７ｄを配置し、被写体である人物の顔検出に基づいて、スルー画像やフレームにおける人物の位置を把握し、その人物の音声をより良くステレオ録音できる２つのマイクロホンを選択することにより、効率的に且つ容易にステレオ録音できる。
【００６６】
また、複数のマイクロホンのうち少なくとも１つをパネル部２７に配置することにより、ステレオ録音のステレオ感を無くすことなく、デジタルカメラなどのさらなる小型化を図ることができる。
【００６７】
さらに、複数の人物を動画撮像する場合において、ユーザによる操作部材２１やタッチパネル２３の操作指示により１人の人物が選択された場合、ＣＰＵ１９は、選択された人物の位置に基づいて、選択された人物の音声をより良くステレオ録音できる２つのマイクロホンを選択することができる。
《実施形態の補足事項》
（１）上記実施形態では、顔検出部２０の処理を、ＣＰＵ１９がソフトウエア的に実現する例を説明したが、ＡＳＩＣを用いてハードウエア的に実現してもよい。
【００６８】
（２）上記実施形態では、デジタルカメラが４つのマイクロホンを有し、そのうち１つがパネル部２７に配置されたが、本発明はこれに限定されず、デジタルカメラは２つ以上のマイクロホンを有し、少なくとも１つがパネル部２７に配置されてもよい。
【００６９】
なお、撮像光学系１１の近くに配置されるマイクロホン１７ａ、１７ｂは、被写体の音声とともに、レンズ駆動部（不図示）による撮像光学系１１の駆動音も拾い易いことから、その駆動音を除去するノイズ除去部を備えることが好ましい。
【００７０】
また、マイクロホン１７ｄは、パネル部２７に固定して配置されたが、本発明はこれに限定されない。例えば、図１０に示すように、パラレルリンクやアクチュエータなどを用いて、パネル部２７の開口時の設定状態にかかわらず、マイクロホン１７ｄの向きが常に光軸方向と平行となるように、マイクロホン１７ｄはパネル部２７に配置されてもよい。なお、図１０は、シャフト２８ａ、２８ｂからなるパラレルリンクを用いる場合を示し、パネル部２７を角度α傾かせた場合の状態を示す。また、図１０では、パラレルリンクによる動作を分かり易く示すために、マイクロホン１７ｄおよびパネル部２７を拡大して図示している。
【００７１】
（３）上記実施形態では、無指向性のマイクロホン１７ａ〜１７ｄを用いたが、本発明はこれに限定されず、複数の指向性のマイクロホンを用いてもよい。また、複数の無指向性のマイクロホンとともに、複数の指向性のマイクロホンを併せてデジタルカメラに配置し、顔検出部２０により人物が顔検出された場合、ＣＰＵ１９は、指向性のマイクロホンに切り替えるようにしてもよい。これにより、所望の人物や選択した人物の音声をより良くステレオ録音することができる。
【００７２】
（４）上記実施形態では、人物の顔領域とスルー画像の中央との位置関係に応じて、ＣＰＵ１９は、図５〜図７で示すような２つのマイクロホンを選択したが、本発明はこれに限定されない。ＣＰＵ１９は、上記位置関係に応じて、図５〜図７に示す以外の他の組合せの２つのマイクロホンを選択してもよい。
【００７３】
（５）上記実施形態では、図５（ａ）などに示すように、パネル部２７に配置されるマイクロホン１７ｄが、他のマイクロホンと比べて後方の位置に配置されたが、本発明はこれに限定されない。例えば、開口時、マイクロホン１７ｄが他のマイクロホンと同じ位置となるように、マイクロホン１７ｄはパネル部２７から突出するように配置されてもよい。
【００７４】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図する。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【符号の説明】
【００７５】
１１…撮像光学系、１２…撮像素子、１３…ＡＦＥ、１４…バッファメモリ、１５…画像処理部、１６ａ…モニタ、１７ａ〜１７ｄ…マイクロホン、１８…記憶部、１９…ＣＰＵ、２０…顔検出部、２１…操作部材、２２…レリーズ釦、２３…タッチパネル、２４…記録Ｉ／Ｆ、２５…記憶媒体、２６…ヒンジ部、２７…パネル部
【図１】
2013179466.tif 000003
【図２】
2013179466.tif 000004
【図３】
2013179466.tif 000005
【図４】
2013179466.tif 000006
【図５】
2013179466.tif 000007
【図６】
2013179466.tif 000008
【図７】
2013179466.tif 000009
【図８】
2013179466.tif 000010
【図９】
2013179466.tif 000011
【図１０】
2013179466.tif 000012